(57)【要約】【課題】熱および電撃による血行促進の装置およびその使用方法【解決手段】熱および電撃による血行促進の装置およびその使用方法であって、そのホストは制御回路を有して出力電圧と出力電流を含む直流電源を発生し、電撃部材群がホストに電気接続し、それぞれ正、負電極である電撃部材を含み、人体の各部位の対向の両側に貼り付けられ、ホストが通電する時に発生した出力電流が正電極である電撃部材から人体を通過して対向側の負電極である電撃部材に伝導され、かつホットパックによって人体に貼り付けられる時の電撃部材の外側にカバーし、従って熱を体内深層に伝導させる。【選択図】図１
2016150245.tif 000002
【特許請求の範囲】
【請求項１】
熱および電撃による血行促進の装置であって、
制御回路を有して出力電圧と出力電流を含む直流電源を発生し、該出力電圧が７乃至９ボルトであり、かつ周波数が５０乃至６０ヘルツであり、該出力電流が１００乃至３００ミリアンペアであり、かつ該制御回路は発生した直流電源をフィルタリングして固定の波の幅を発生し、かつ鋸歯状波の波形を除去するホストと、
回路によって該ホストの制御回路に電気接続し、かつそれぞれシート状である第１電撃部材と第２電撃部材を含み、該第１電撃部材と該第２電撃部材のうちの一方が正電極であり、他方が負電極であり、該第１電撃部材と第２電撃部材とがそれぞれ人体における任意部位の対向の両側に貼り付けられ、かつ該ホストが通電する時に発生した出力電流は正電極である電撃部材から人体を通過して対向側の負電極である電撃部材に伝導される、少なくとも１つの電撃部材群と、
人体に貼り付けられる時の前記電撃部材の外側にカバーする少なくとも２つのホットパックと、を含む熱および電撃による血行促進の装置。
【請求項２】
各該電撃部材は導電層、および該導電層の外部に嵌設されて、ぬらされて再び人体に貼り付けられるバッグを含む請求項１に記載の熱および電撃による血行促進の装置。
【請求項３】
該少なくとも２つのホットパックは潜水服材質であり、熱をゆっくり伝導して出せる特性を有する請求項１に記載の熱および電撃による血行促進の装置。
【請求項４】
該ホストは操作インターフェースを有し、該操作インターフェースが該ホストのオン・オフを制御するスイッチ部と、操作時間を設定するタイミング操作部と、該出力電流の大小を設定する出力操作部と、該第１、第２電撃部材の極性を切り替えて該出力電流の流れ方向を変更する切替部と、を具備する請求項１に記載の熱および電撃による血行促進の装置。
【請求項５】
該タイミング操作部はつまみおよび表示画面を含み、そのつまみを操作することで操作時間を設定し、その表示画面によって該設定の操作時間を表示する請求項４に記載の熱および電撃による血行促進の装置。
【請求項６】
該出力操作部はつまみおよび表示画面を含み、そのつまみを操作することで出力値を設定し、その表示画面によって該設定の出力値を表示する請求項４に記載の熱および電撃による血行促進の装置。
【請求項７】
該ホストの制御回路はデジタル制御回路であり、該操作インターフェースのタイミング操作部が設定した操作時間および出力操作部が設定した出力電流の大小は、該制御回路が該スイッチ部によって再起動する時にゼロ復帰することで、使用者が新たに設定される請求項４に記載の熱および電撃による血行促進の装置
【請求項８】
人体の頭部や、頸部、四肢、胴体のうちの１つを選択して該装置を使用しようとする特定部位とし、前記第１電撃部材を該特定部位の一側に貼り付け、かつ前記第２電撃部材を該第１電撃部材の対向側に貼り付け、かつ該特定部位の対向の両側の第１、第２電撃部材の外側にはそれぞれ前記ホットパックによってカバーされ、この時に、該ホストを起動して該出力電圧と該出力電流を発生させ、該出力電流を正電極である電撃部材から該特定位部を通過して負電極である電撃部材に流れ、かつ該ホットパックが発出した熱が該出力電流とともに該特定部位を透過して体内の深層に伝導される請求項１に記載の熱および電撃による血行促進装置の使用方法。
【発明の詳細な説明】
【技術分野】
【０００１】
本発明は熱および電撃による血行促進の装置およびその使用方法に関し、特に、熱を体内深層に伝導することが可能な装置およびその使用方法に関する。
【背景技術】
【０００２】
図５に示すように、いつも使用されるマッサージ器であって、ホスト９１を有し、かつ２つの電極板９２が回路９３を介してホスト９１に接続する。マッサージ器が使用時に、電極板９２をマッサージしようとする部位に貼り付け、ホスト９１によってマッサージのモードを設定し、起動した後に低周波電流を電極板９２に出力し、かつ電極板９２を介して放電して皮膚表面乃至浅層筋肉の刺激を実現する。そのため、皮膚がヒリヒリ感を感じ、かつ筋肉も無意識の収縮動作を発生し、従って、マッサージ、リラックス効果を実現する。
【０００３】
しかしながら、ホスト９１によって低周波電流を発生し、かつ電極板９２によって放電することで、前記マッサージ、リラックス効果を実現することができるが、以上のように、皮膚表面乃至浅層筋肉のみに対して刺激効果を発生し、体内の深層筋肉、神経および動静脈血管などのより深層の部位に達することができず、かつ放電によって皮膚および筋肉に刺激して反応を発生すると、皮膚が不快になり、および筋肉が過度に収縮した反効果を引き起こすことがある。
【発明の概要】
【発明が解決しようとする課題】
【０００４】
本発明の主な目的は、前記問題を解決するために熱および電撃による血行促進の装置およびその使用方法を提供し、ホットパックから発出した熱を、ホストが発生した出力電流とともに人体を透過して体内深層に伝導させることができ、従って血行促進の効果を実現することができる。
【課題を解決するための手段】
【０００５】
前記目的を実現するために、本発明の熱および電撃による血行促進の装置は、
制御回路を有して出力電圧と出力電流を含む直流電源を発生し、該出力電圧が７乃至９ボルトであり、かつ周波数が５０乃至６０ヘルツであり、該出力電流が１００乃至３００ミリアンペアであり、かつ該制御回路が発生した直流電源をフィルタリングして固定の波の幅を発生して鋸歯状波の波形を除去するホストと、
回路によって該ホストの制御回路に電気接続し、かつそれぞれシート状である第１電撃部材と第２電撃部材を含み、該第１電撃部材と該第２電撃部材の一方が正電極であるが、他方が負電極であり、該第１電撃部材と第２電撃部材とが人体のいずれの部位の対向の両側に貼り付けられ、かつ該ホストが通電する時に発生した出力電流が正電極である電撃部材から人体を通過して対向側の負電極である電撃部材に伝導される少なくとも１つの電撃部材群と、
人体に貼り付けられる時の前記電撃部材の外側にカバーする少なくとも２つのホットパックと、を含む。
【０００６】
各該電撃部材は導電層、および該導電層の外部に嵌設さて、ぬらされて再び人体に貼り付けられるバッグである。
【０００７】
該少なくとも２つのホットパックは潜水服材質であり、熱をゆっくり通過させる特性を有する。
【０００８】
該ホストは操作インターフェースを有し、該操作インターフェースが該ホストのオン・オフを制御するスイッチ部と、操作時間を設定するタイミング操作部と、該出力電流の大小を設定する出力操作部と、および該第１、第２電撃部材の極性を切り替えて該出力電流の流れ方向を変更する切替部と、を含む。
【０００９】
該タイミング操作部はつまみおよび表示画面を含み、そのつまみを操作することで操作時間を設定し、かつその表示画面によって該設定の操作時間を表示する。
【００１０】
該出力操作部はつまみおよび表示画面を含み、そのつまみを操作することで出力値を設定し、かつその表示画面によって該設定の出力値を表示する。
【００１１】
前記目的を実現するために、本発明の熱および電撃による血行促進の装置の使用方法は、人体の頭部や、頸部、四肢、胴体の１つを、該装置を使用しようとする特定部位とし、前記第１電撃部材を該特定部位の一側に貼り付け、かつ前記第２電撃部材を該第１電撃部材の対向側に貼り付け、かつ該特定部位の対向の両側の第１、第２電撃部材の外側にはそれぞれ前記ホットパックによってカバーされる。この時に、該ホストを起動して該出力電圧と該出力電流を発生させ、該出力電流を正電極である電撃部材から該特定位部を通過して負電極である電撃部材に流れ、かつ該ホットパックが発出した熱が該出力電流とともに該特定部位を透過して体内深層に伝導させる。
【図面の簡単な説明】
【００１２】
【図１】図１は本発明の装置の各部材の立体配置の模式図である。
【図２】図２は本発明の装置の操作インターフェースの平面模式図である。
【図３】図３は本発明の第１実施例の人体腹部に用いられる使用状態の模式図である。
【図４】図４は本発明の第２実施例の人体アームに用いられる使用状態の模式図である。
【図５】図５はいつも使用されたマッサージ器の立体外観および使用状態の模式図である。
【発明を実施するための形態】
【００１３】
本実施例は熱および電撃による血行促進の装置および使用方法を提供する。図１に示すように、前記熱および電撃による血行促進の装置はホスト１と、第１電撃部材２と、第２電撃部材３と、２つのホットパック４を含む。
【００１４】
図１に示すようなホスト１は、制御回路を有して出力電圧と出力電流を含む直流電源を発生し、該出力電圧が７乃至９ボルト(Ｖ)であり、かつ周波数が５０乃至６０ヘルツ(Ｈｚ)であり、該出力電流が１００乃至３００ミリアンペア(ｍＡ)である。該制御回路は発生した直流電源を固定の波の幅にフィルタリングして鋸歯状波の波形を除去する。
【００１５】
図１に示すように、本実施例の第１電撃部材２と第２電撃部材３とは電撃部材群であり、第１電撃部材２と第２電撃部材３とが共にシート状であり、かつ回路によって電性連接該ホスト１に電気接続する。該第１電撃部材と該第２電撃部材との一方が正電極であるが、他方が負電極である。各該ホットパック４は人体に貼り付けられる時の第１、第２電撃部材２、３の外側にカバーする。本実施例において、該第１、第２電撃部材２、３はいずれも導電層２１、３１、および該導電層２１、３１の外部に嵌設されるバッグ２２、３２を有し、バッグ２２、３２がぬらされて再び人体に貼り付けられる。ここで、ホットパック４は潜水服材質であり、熱をゆっくり透過させる特性を有する。
【００１６】
図１乃至図２に示すように、本実施例のホスト１は操作インターフェース１１を有し、該操作インターフェース１１がスイッチ部１２と、タイミング操作部１３と、出力操作部１４と、切替部１５とを含む。スイッチ部１２は本実施例においてオンボタン１２１およびオフボタン１２２を含み、該オンボタン１２１およびオフボタン１２２を操作することで該ホスト１のオン・オフを制御する。該タイミング操作部１３は本実施例においてつまみ１３１および表示画面１３２を含み、つまみ１３１を操作することで操作時間を設定し、かつ表示画面１３２によって該設定の操作時間を表示する。該出力操作部１４は本実施例においてつまみ１４１および表示画面１４２を含み、つまみ１４１を操作することで出力値を設定し、かつ表示画面１４２によって該設定の出力値を表示し、これによって該出力電流の大小を設定する。該切替部１１４によって該出力電流の該第１、第２電撃部材２、３の間の流れ方向を切り替え、第１、第２電撃部材２、３の極性を交換させ、電流方向を反対方向に流れる。
【００１７】
本実施例において、該ホスト１の制御回路はデジタル制御回路であり、該操作インターフェース１１のタイミング操作部１３および出力操作部１４が設定した操作時間および出力電流の大小は、該制御回路が該スイッチ部によって再起動する時にゼロ復帰する。それは、制御回路がシャットダウンした後に操作時間、出力電流の大小などのパラメータを記録せず、使用者が再び起動した後に新たに設定し、主に記録した設定パラメータが発生した出力電流の負荷が比較的重いと、新たに設定する機能によって前回に設定したパラメータが新しい使用者に使用されず、新しい使用者が直接に使用して不快になることを避ける。
【００１８】
前記熱および電撃による血行促進の装置は、本実施例において使用する方法が、人体の頭部、頸部、四肢又は胴体の１つを選択し、該装置を使用しようとする特定部位とし、ここでの特定部位が本実施例において胴体を例とし、図３に示すように、第１電撃部材２を正電極として腹部Ａに貼り付けられ、かつ第２電撃部材３を負電極として該第１電撃部材２の対向側、すなわち、腹部Ａと高さが同じ背部Ｂにに貼り付けられ、かつ第１、第２電撃部材２、３の外側にはそれぞれホットパック４によってカバーされる。この時に該スイッチ部１２によって該ホスト１を起動し、かつ制御回路によって該出力電圧と該出力電流を発生させ、該出力電流を該第１電撃部材２から腹部Ａと背部Ｂとの間を通過させて第２電撃部材３へ流れる。この時にホットパック４が発出する熱は該出力電流とともに腹部Ａと背部Ｂとの間を透過して腹内の深層筋肉、神経、血管、および器官などの深層部位に伝導される。
【００１９】
該出力電流の流れ方向が第２電撃部材３から第１電撃部材２に流れようとすると、該切替部１１４の設定によって、該第１電撃部材２の極性を負電極に変え、該第２電撃部材３の極性を正電極に変える。この時に、該出力電流が第１電撃部材２と第２電撃部材３との間の流れ方向に、腹部Ａから背部Ｂに流れることを背部Ｂから腹部Ａに流れることに変える。 
【００２０】
図４に示すように、もう１つの実施例はアームＣを前記特定部位とし、第１電撃部材２をアームＣの上方に貼り付け、かつ第２電撃部材３をアームＣの下方に貼り付け、同様に第１、第２電撃部材２、３の外側にそれぞれホットパック４でカバーする。この時に、該スイッチ部１２によって該ホスト１を起動して該出力電圧と該出力電流を発生させ、該出力電流を正電極である第１電撃部材２からアームＣを通過して負電極である第２電撃部材３に流れる。かつホットパック４が発出した熱は該出力電流とともにアームＣを透過してアームＣにおける深層部位に伝導させることができる。
【００２１】
上記の説明によれば、本発明のメリットは以下の通りである。
【００２２】
１、本発明の装置およびその使用方法を利用すると、電撃部材群が人体に貼り付けられることに従ってホットパック４から発出した熱を体内深層に伝導することができ、いつも使用されるマッサージ器のように、皮膚および浅層筋肉に対して刺激を発生することができ、かつ深層筋肉、神経、血管、および器官などの深層部位の体内深層の部位に対して刺激を発生することもでき、気血を流通させて血行促進の効果を実現する。
【００２３】
２、本発明の装置の使用方法は、第１、第２電撃部材２、３を前記特定部位の対向の両側に設置するので、該出力電流を発生する時に、第１電撃部材２と第２電撃部材３との間に流通する。そのため、使用者はいつも使用されるのマッサージ器のように、皮膚がヒリヒリ感を感じ、或いは筋肉が無意識の収縮動作を発生することがしなく、熱が体内に導入された熱感覚のみを感じ、皮膚が不快になり、および筋肉が過度に収縮した反効果の発生を避けることができる。
【００２４】
実際に操作してきた試験者の記述によれば、本発明の装置を利用し、かつ本発明の使用方法に従って操作すると、該出力電流が第１、第２電撃部材２、３の間に流通するので、疲労を解消してかつ元気になり、操作した後に、使用部位が快適かつ持続的な温熱感を感じ、それが毛細血管が拡張して充血現象を出現することによる血行促進の効果である。この効果の発生に伴って、試験者は身体がリラックスし、さらに良好な睡眠品質および食欲の促進を獲得し、従って本発明のメリットを補助して説明する。
【符号の説明】
【００２５】
（従来技術の部分）
ホスト９１                 電極板９２
回路９３
（本発明の部分）
ホスト１                  操作インターフェース１１
スイッチ部１２               オンボタン１２１
オフボタン１２２                タイミング操作部１３
つまみ１３１                表示画面１３２
出力操作部１４           つまみ１４１
表示画面１４２              切替部１５
第１電撃部材２            導電層２１
バッグ２２                 第２電撃部材３
導電層３１               バッグ３２
ホットパック４                腹部Ａ
背部Ｂ                  アームＣ
【図１】
2016150245.tif 000003
【図２】
2016150245.tif 000004
【図３】
2016150245.tif 000005
【図４】
2016150245.tif 000006
【図５】
2016150245.tif 000007